【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
録画／録音の予約情報に従って映像／音声情報（映像および音声情報、あるいは映像情報または音声情報）を記録メディアに記録し、記録した番組（それぞれの映像／音声情報）を再生する映像／音声情報記録再生装置において、
記録メディアに番組を記録する記録制御手段と、
予約情報に従って上記記録制御手段の予約録画／録音動作を制御する予約設定手段と、
上記記録メディアに記録された番組を再生する再生制御手段と、
上記再生制御手段の再生動作を制御する再生設定手段と
を備え、
上記予約設定手段は、録画／録音の予約情報に、更新記録の情報を付加し、
上記記録制御手段は、上記予約情報によって記録した複数の番組をグルーピングするための属性情報を、上記予約情報によって記録する番組に付加するとともに、すでに記録されている番組が上記予約情報によるものか否かをその番組の属性情報によって識別することにより、上記予約情報による番組を上記記録メディアに更新記録する
ことを特徴とする映像／音声情報記録再生装置。
【請求項２】
上記再生設定手段は、上記属性情報によってグルーピングされた複数の番組を１つの再生の処理単位とし、
上記再生制御手段は、上記再生の処理単位が選択されたときに、上記複数の番組を一括して巡回的に再生または特殊再生する
ことを特徴とする請求項１記載の映像／音声情報記録再生装置。
【請求項３】
上記記録制御手段は、上記更新記録に関する属性情報を番組とともに上記記録メディアに記録する
ことを特徴とする請求項１または２に記載の映像／音声情報記録再生装置。
【請求項４】
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録制御手段は、上記予約情報による最新の番組を、上記属性情報によってグルーピングされた古い番組がすでに記録されている領域またはいずれかの空き領域を選択して記録し、上記古い番組の管理情報を削除し、上記最新の番組の管理情報を記録する
ことを特徴とする請求項１または２に記載の映像／音声情報記録再生装置。
【請求項５】
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録メディアとは別に上記管理情報を保管する管理情報保管手段をさらに備え、
上記再生制御手段は、装置が起動されたとき、その記録メディアに記録されている管理情報を再生して上記管理情報保管手段に送り、
上記記録制御手段および上記再生制御手段は、装置の動作中において管理情報を参照しまたは書き換える必要を生じたときには、上記管理情報保管手段にアクセスし、
上記記録制御手段は、記録動作が停止したとき、または装置電源がＯＦＦされるときに、その記録メディアに記録されている管理情報を上記管理情報保管手段に保管されている管理情報に書き換える
ことを特徴とする請求項１または２に記載の映像／音声情報記録再生装置。
【請求項６】
上記装置が起動された状態とは、装置の電源がＯＮされたとき、または記録メディアが装置に挿入されたときを含むことを特徴とする請求項５記載の映像／音声情報記録再生装置。
【請求項７】
上記装置が停止した状態とは、記録メディアが装置から取り出されるとき、装置が待機モードに移行するとき、または装置電源がＯＦＦされるときを含むことを特徴とする請求項５記載の映像／音声情報記録再生装置。
【請求項８】
上記記録メディアは、ランダムアクセスが可能なメディアである
ことを特徴とする請求項１記載の映像／音声情報記録再生装置。
【手続補正２】
【補正対象書類名】明細書
【補正対象項目名】００１７
【補正方法】変更
【補正の内容】
【００１７】
請求項２記載の映像／音声情報記録再生装置は、上記請求項１において、上記再生設定手段は、上記属性情報によってグルーピングされた複数の番組を１つの再生の処理単位とし、上記再生制御手段は、上記再生の処理単位が選択されたときに、上記複数の番組を一括して巡回的に再生または特殊再生することを特徴とする。
【手続補正３】
【補正対象書類名】明細書
【補正対象項目名】００１８
【補正方法】変更
【補正の内容】
【００１８】
請求項３記載の映像／音声情報記録再生装置は、上記請求項１または２において、上記記録制御手段は、上記更新記録に関する属性情報を番組とともに上記記録メディアに記録することを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項４記載の映像／音声情報記録再生装置は、上記請求項１または２において、上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、上記記録制御手段は、上記予約情報による最新の番組を、上記属性情報によってグルーピングされた古い番組がすでに記録されている領域またはいずれかの空き領域を選択して記録し、上記古い番組の管理情報を削除し、上記最新の番組の管理情報を記録することを特徴とする。
【手続補正６】
【補正対象書類名】明細書
【補正対象項目名】００２１
【補正方法】変更
【補正の内容】
【００２１】
請求項５記載の映像／音声情報記録再生装置は、上記請求項１または２において、
上記録画制御手段は、上記記録メディアの情報記録領域を、映像／音声情報領域および管理情報記録領域に分割し、番組を映像／音声情報領域に記録し、それぞれの番組の管理情報を情報記録領域に記録するとともに、上記予約情報によって記録する番組の属性情報を、その番組の管理情報として上記管理情報領域に記録し、
上記記録メディアとは別に上記管理情報を保管する管理情報保管手段をさらに備え、
上記再生制御手段は、装置が起動されたとき、その記録メディアに記録されている管理情報を再生して上記管理情報保管手段に送り、
上記記録制御手段および上記再生制御手段は、装置の動作中において管理情報を参照しまたは書き換える必要を生じたときには、上記管理情報保管手段にアクセスし、
上記記録制御手段は、記録動作が停止したとき、その記録メディアに記録されている管理情報を上記管理情報保管手段に保管されている管理情報に書き換える
ことを特徴とする。
【手続補正７】
【補正対象書類名】明細書
【補正対象項目名】００２２
【補正方法】変更
【補正の内容】
【００２２】
請求項６記載の映像／音声情報記録再生装置は、上記請求項５において、上記装置が起動された状態とは、装置の電源がＯＮされたとき、または記録メディアが装置に挿入されたときを含むことを特徴とする。
【手続補正８】
【補正対象書類名】明細書
【補正対象項目名】００２３
【補正方法】変更
【補正の内容】
【００２３】
請求項７記載の映像／音声情報記録再生装置は、上記請求項５において、上記装置が停止した状態とは、記録メディアが装置から取り出されるとき、装置が待機モードに移行するとき、または装置電源がＯＦＦされるときを含むことを特徴とする。
【手続補正９】
【補正対象書類名】明細書
【補正対象項目名】００２４
【補正方法】変更
【補正の内容】
【００２４】
請求項８記載の映像／音声情報記録再生装置は、上記請求項１において、上記記録メディアは、ランダムアクセスが可能なメディアであることを特徴とする。
【手続補正１０】
【補正対象書類名】明細書
【補正対象項目名】００９０
【補正方法】変更
【補正の内容】
【００９０】
請求項２記載の映像／音声情報記録再生装置によれば、属性情報によってグルーピングされた複数の番組を１つの再生の処理単位とし、上記再生の処理単位が選択されたときに、上記複数の番組を一括して巡回的に再生または特殊再生（スロー再生、スキャン再生、スキップ再生など）することにより、同じ周期的な予約によって更新記録された互いに関連性が高い複数の番組のみを、連続的にあるいは連続的かつ巡回的に、再生または特殊再生できるので、ユーザの利便性をさらに向上することができるという効果がある。
【手続補正１１】
【補正対象書類名】明細書
【補正対象項目名】００９１
【補正方法】変更
【補正の内容】
【００９１】
請求項３記載の映像／音声情報記録再生装置によれば、更新記録に関する属性情報を番組とともに記録メディアに記録することにより、この発明の複数の映像／音声情報記録再生装置間で互換性を保って、同じ記録メディアに任意の番組数ごとに更新記録し、更新記録した複数の番組のみを一括して再生することができるという効果がある。
【手続補正１２】
【補正対象書類名】明細書
【補正対象項目名】００９２
【補正方法】削除
【補正の内容】
【手続補正１３】
【補正対象書類名】明細書
【補正対象項目名】００９３
【補正方法】変更
【補正の内容】
【００９３】
請求項４記載の映像／音声情報記録再生装置によれば、記録メディアの情報記録領域を、番組を記録する映像／音声情報記録領域と、管理情報を記録する管理情報記録領域とに分割し、映像／音声情報領域に記録されている全ての番組の管理情報を管理情報領域に一括して記録し、最新の番組を、古い番組がすでに記録されている領域またはいずれかの空き領域を選択して記録することにより、記録メディアから管理情報を読み込むときおよび記録メディアの管理情報を書き換えるときの時間的なレスポンスを改善でき、管理情報の読み込みおよび書き換え時の誤動作を低減でき、さらに書き込みヘッドの位置などに応じて最適な記録領域を選択できるので、記録開始までの時間的なレスポンスを改善できるという効果がある。
【手続補正１４】
【補正対象書類名】明細書
【補正対象項目名】００９４
【補正方法】変更
【補正の内容】
【００９４】
請求項５ないし７に記載の映像／音声情報記録再生装置によれば、記録メディアの情報記録領域を、番組を記録する映像／音声情報記録領域と、管理情報を記録する管理情報記録領域とに分割し、映像／音声情報領域に記録されている全ての番組の管理情報を管理情報領域に一括して記録し、記録メディアとは別に設けた管理情報管理手段に管理情報を保管しておき、装置の動作中に管理情報を参照または書き換える必要を生じたときには、管理情報管理手段にアクセスすることにより、記録メディアから管理情報を読み込むときおよび記録メディアの管理情報を書き換えるときの時間的なレスポンスを改善でき、管理情報の読み込みおよび書き換え時の誤動作を低減でき、さらに管理情報の参照または書き換えのときの時間的なレスポンスを改善できるという効果がある。
【手続補正１５】
【補正対象書類名】明細書
【補正対象項目名】００９５
【補正方法】変更
【補正の内容】
【００９５】
請求項８記載の映像／音声情報記録再生装置によれば、ランダムアクセスが可能な記録メディアを用いることにより、ユーザが希望する動作までのレスポンスを速くすることができ、操作上でのユーザのストレスを低減できるという効果がある。